(57)【要約】【課題】シリンダーを破壊して行われる犯罪に対する防犯性を高めることができる新規な錠を提供する。【解決手段】鍵穴１０が設けられた内筒１１およびこの内筒１１の外側に設けられた外筒１２を有するシリンダー９を備え、前記鍵穴１０に差し込んだ鍵Ｋの回動操作に伴って、施錠および解錠させるようにした錠１のシリンダー９に、熱および／または振動を検知する検知手段１８の検知部１９を設けた。【選択図】      図６
2004197522.tif 000002
【特許請求の範囲】
【請求項１】
鍵穴が設けられた内筒およびこの内筒の外側に設けられた外筒を有するシリンダーを備え、前記鍵穴に差し込んだ鍵の回動操作に伴って、施錠および解錠させるようにした錠の前記シリンダーに、熱および／または振動を検知する検知手段の検知部を設けたことを特徴とする錠。
【請求項２】
鍵穴が設けられた内筒およびこの内筒の外側に設けられた外筒およびこの外筒の外側に設けられたカラーを有するシリンダーを備え、前記鍵穴に差し込んだ鍵の回動操作に伴って、施錠および解錠させるようにした錠の前記シリンダーに、熱および／または振動を検知する検知手段の検知部を設けたことを特徴とする錠。
【発明の詳細な説明】
【０００１】
【発明の属する技術分野】
本発明は、シリンダーを備えた錠に関する。
【０００２】
【従来の技術】
従来より、図７および図８に示すように、鍵穴１０が設けられた内筒１１およびこの内筒１１の外側に設けられた外筒１２を有するシリンダー９を備え、前記鍵穴１０に差し込んだ鍵Ｋの回動操作に伴って、前記内筒１１が回動し、同時に、内筒１１と連動する室外側作動部材８が回動することによってカム（図示せず）が作動し、このカムの作動により図示しないデッドボルトが施錠位置または解錠位置に移動するように構成された錠が広く用いられている。
【０００３】
詳しくは、前記内筒１１は、前記鍵穴１０に差し込まれた鍵Ｋに一端部１３ａが当接する複数の摺動自在な下ピン１３，１３…を有し、また、前記外筒１２は、前記各下ピン１３の他端部１３ｂに当接し、付勢手段（例えば、スプリング）１５により下ピン１３側に付勢される摺動自在な複数の上ピン１６，１６…を有している。
【０００４】
そして、通常は、前記下ピン１３，１３…または上ピン１６，１６…により前記内筒１１の回動が規制されているのであり、前記シリンダーに対応する鍵Ｋを鍵穴１０に差し込んだ場合にのみ、前記下ピン１３，１３…または上ピン１６，１６…による規制が解除され、前記内筒１１がその軸まわりに回動可能となる。すなわち、前記鍵Ｋを用いなければ、シリンダー９による錠の施解錠操作を行えないように構成されていた。
【０００５】
【発明が解決しようとする課題】
しかし、近年、前記シリンダーを備えた扉錠を不法に解錠する目的で、前記シリンダーそのものを破壊するという犯罪が急増している。
【０００６】
すなわち、上記犯罪は、ドリル等を用いて、前記シリンダー９の内筒１１を破壊し、内筒１１を抜き取ったり、内筒１１の回動を規制するための下ピン１３，１３…および上ピン１６，１６…を取り出したり破壊したりすることによって行われるのである。
【０００７】
そこで、前記内筒１１や外筒１２あるいは下ピン１３，上ピン１６などを高強度の焼入れ鋼製とすることで、上記ドリル等による破壊の防止を図った錠がある。しかし、このような錠であっても、破壊されることがあった。すなわち、前記焼入れ鋼は、高温に加熱し、焼戻しを行うことによって、脆性破壊が生じやすくなる（脆くなる）性質を有しており、この性質を利用して、焼入れ鋼を用いて形成された内筒１１や外筒１２あるいは下ピン１３，上ピン１６などを、例えばアセチレンバーナーによって加熱し、冷却した後、ドリル等を用いて破壊するという犯罪が行われていたのである。
【０００８】
なお、前記内筒１１や外筒１２あるいは下ピン１３，上ピン１６を、熱に強いセラミック製とすることも考えられるが、この場合には、前記下ピン１３，上ピン１６の摺動時の抵抗が大きくなり、鍵Ｋを用いた施錠および解錠操作を行う際に、鍵Ｋの回動操作などをスムーズに行えなくなるというおそれがあり、また、やはり前記ドリル等を用いた破壊を完全に防止することが困難である。
【０００９】
本発明は上述の事柄に留意してなされたもので、その目的は、シリンダーを破壊して行われる犯罪に対する防犯性を高めることができる新規な錠を提供することである。
【００１０】
【課題を解決するための手段】
上記目的を達成するために、本発明の錠は、鍵穴が設けられた内筒およびこの内筒の外側に設けられた外筒を有するシリンダーを備え、前記鍵穴に差し込んだ鍵の回動操作に伴って、施錠および解錠させるようにした錠の前記シリンダーに、熱および／または振動を検知する検知手段の検知部を設けた（請求項１）。
【００１１】
また、鍵穴が設けられた内筒およびこの内筒の外側に設けられた外筒およびこの外筒の外側に設けられたカラーを有するシリンダーを備え、前記鍵穴に差し込んだ鍵の回動操作に伴って、施錠および解錠させるようにした錠の前記シリンダーに、熱および／または振動を検知する検知手段の検知部を設けたとしてもよい（請求項２）。
【００１２】
上記の構成により、シリンダーを破壊して行われる犯罪に対する防犯性を高めることができる新規な錠を提供することができる。
【００１３】
【発明の実施の形態】
以下、この発明の実施例を、図を参照しながら説明する。
図１および図２は、本発明の一実施例に係るシリンダー９が設けられた錠（以下、扉錠という）１を扉Ｄに取り付けた使用例を概略的に示す正面図および背面図、図３および図４は、前記扉錠１の要部の構成を概略的に示す側面図および説明図、図５は、図１のＡ−Ａ線断面図である。
前記扉Ｄは、例えば、玄関などに設けられる開閉式の扉であり、ヒンジ部材２，２などにより一端側が枠３に回動可能に枢支（枢着）されている。
【００１４】
そして、本実施例の扉錠１は、前記扉Ｄの他端側（回動端側）に設けられるのである。なお、前記扉Ｄの回動端側には、前記扉錠１の他に、扉Ｄの側方に突出するラッチボルト（図示せず）を扉Ｄ内へと後退させるためのレバーや握玉（ノブ）などからなる操作部材４が設けられている。
【００１５】
前記扉錠１は、図４に示すように、錠ケース５内に設けられたカム６の作動（回動）により錠杆（以下、デッドボルトという）７を施錠位置または解錠位置に移動させ、これによって、施錠および解錠させるようにしてあり、また、前記カム６を直接作動（回動）させる室外側の操作部材であるシリンダー９に設けられた室外側作動部材８および室内側の操作部材であるサムターン２２に設けられた室内側作動部材２２ａをそれぞれ、カム６の回動軸６ａに設けた係合孔６ｂ内に係合させている。
【００１６】
詳しくは、前記扉錠１は、例えば、いわゆる彫り込み錠タイプの構造を有しており、前記カム６を一方（図４では反時計回り方向）に回動させると、この回動に伴って前記デッドボルト７が解錠位置にまで移動するのであり、カム６を他方（図４では時計回り方向）に回動させると、この回動に伴って前記デッドボルト７が施錠位置にまで移動するのである。
【００１７】
そして、前記カム６の回動は、室内側からは前記室内側作動部材２２ａが連動されるサムターンなどの室内側にある操作部材２２を操作することによって行え、また、室外側からは前記室外側作動部材８が連動されるシリンダー９に対して鍵Ｋを回動操作することによって行うことができる。なお、前記シリンダー９に対する鍵Ｋの回動操作は、シリンダー９に設けられた鍵穴１０に鍵Ｋを挿入した状態で、鍵Ｋを回動させることにより行うことができる。
【００１８】
図６（Ａ）および（Ｃ）は、前記扉錠１のシリンダー９の要部の構成を概略的に示す背面図および正面図、図６（Ｂ）は、図６（Ａ）のＡ−Ａ線断面図、図７は、図６（Ａ）のＢ−Ｂ線断面図である。
前記扉錠１は、前記鍵穴１０が設けられた内筒１１およびこの内筒１１の外側に設けられた外筒１２およびこの外筒１２の外側に設けられるカラー（リングともいう、図５参照）２３を有するシリンダー９を備えている。
【００１９】
前記内筒１１は、図７に示すように、前記鍵穴１０に差し込まれた鍵Ｋに一端部１３ａが当接する複数の摺動自在な下ピン１３，１３…を有している。なお、各下ピン１３は、前記内筒１１に設けられた貫通孔１４の内壁に沿って摺動するように構成されている。
【００２０】
前記外筒１２は、前記各下ピン１３の他端部１３ｂに当接し、付勢手段（例えば、スプリング）１５により下ピン１３側に付勢される摺動自在な複数の上ピン１６，１６…を有している。なお、各付勢手段１５および上ピン１６は、外筒１２に設けられた収容孔１７に収容され、各上ピン１６は収容孔１７の内壁に沿って摺動するように構成されている。
【００２１】
また、前記内筒１１の背面（後端部）側には、この内筒１１と連動するように前記室内側作動部材８が固定されており、内筒１１がその軸まわりに回動したときには、前記室内側作動部材８も同じく回動するように構成されている。
【００２２】
詳しくは、前記室内側作動部材８はワッシャ１１ａを有しており、このワッシャ１１ａは、内筒１１の後端部にネジ１１ｂによりネジ止めされる。そして、このワッシャ１１ａのネジ止めにより室外側作動部材８が内筒１１に一体保持されると共に、内筒１１が外筒１２から離脱しないように保持される。
【００２３】
なお、前記下ピン１３，１３…および上ピン１６，１６…は、それぞれ長さが不均一となっている。
【００２４】
上記の構成からなるシリンダー９では、鍵Ｋが鍵穴１０内に挿入され、かつ内筒１１が回動されていないときには、各貫通孔１４と収容孔１７とが連通する状態となっている。
【００２５】
そして、このシリンダー９に対応しない合鍵以外の鍵（図示せず）を前記鍵穴１０に挿入しても、前記上ピン１６が貫通孔１４内に進入した状態となったり、下ピン１３が収容孔１７内に進入した状態となったりするため、前記内筒１１がその軸まわりに回動することがない。
【００２６】
一方、前記シリンダー９に対応する前記鍵Ｋを鍵穴１０内に挿入すると、各上ピン１６が収容孔１７内に収まって貫通孔１４内に進入せず、かつ、各下ピン１３が貫通孔１４内に収まって収容孔１７内に進入しない状態となるため、前記内筒１１がその軸まわりに回動可能な状態となる。そして、このように鍵穴１０に差し込んだ前記鍵Ｋを回動操作すると、この回動操作に伴って前記内筒１１および室内側作動部材８が回動し、さらには前記カム６が回動するのであり、これにより、前記デッドボルト７が施錠位置または解錠位置に移動することとなる。
【００２７】
そして、上記の構成からなる扉錠１は、熱および／または振動を検知する検知手段１８を有しているのであり、前記シリンダー９には、前記検知手段１８の検知部１９が設けられているのである。
【００２８】
前記検知手段１８としては、例えば、熱を検知する熱電対型センサや測温抵抗体型センサ，サーミスタ型センサなどのセンサ、あるいは振動を検知する振動センサなどが挙げられる。
【００２９】
また、検知手段１８は、前記検知部１９と、この検知部１９による検知を所定の処理部（例えば、警報装置の制御盤、図示せず）に伝達するための伝達部（例えば、導線）２０とを有している。
【００３０】
前記検知部１９は、前記内筒１１および外筒１２およびカラー２３を有するシリンダー９の適宜の部分に埋設または付設された状態で配置されるのである。なお、本実施例では、前記検知部１９は細い（直径３ｍｍ程度の）棒状をしており、図５（Ａ）および（Ｂ）に示すように、前記外筒１２内において前記上ピン１６，１６…を避けた位置に埋め込まれて設けられている。さらに、前記検知部１９は、前記外筒１２の背面側からその内部に差し込まれた状態で埋め込まれ、扉Ｄの前面側（外部側）からはその存在を認識できないように構成されている。
【００３１】
また、シリンダー９がカラー２３を有する場合、前記検知手段１８の検知部１９は、外筒１２の外周部に埋設または付設してもよいし、あるいはカラー２３に形成されている空間部２３ａに設けてもよい。
【００３２】
すなわち、前記検知手段１８の検知部１９をこのように配置することにより、前記外筒１２内の余っているスペースを有効に使用できるとともに、前記検知部１９を配置するために新たなスペースを設けたりする必要がなく、前記シリンダー９を今まで通りコンパクトに形成できるのである。
【００３３】
ここで、前記検知部１９により振動を検知するように構成した場合には、前記内筒１１がドリルなどによって破壊行為を受けた際に、ドリルを用いた破壊行為に伴って生ずる振動を検知でき、ひいては破壊行為そのものを検知できるのであり、また、前記検知部１９により熱を検知するように構成した場合には、バーナーなどによって前記内筒１１や外筒１２あるいは下ピン１３，１３…，上ピン１６，１６…が熱せられることを検知することができる。
【００３４】
なお、例えば、シリンダー９（前記内筒１１や外筒１２あるいは下ピン１３，１３…，上ピン１６，１６…など）が、熱には強くてもドリルなどで破壊されるおそれのある場合には、シリンダー９に対する破壊行為に伴って生ずると想定される振動を前記検知部１９により検知するように構成すればよく、また、前記シリンダー９が、ドリルなどによる破壊行為は防げても熱には弱いという場合（焼入鋼製とした場合など）には、シリンダー９に対する破壊行為を行うためにシリンダー９に加えられると想定される熱（温度）を前記検知部１９により検知するように構成すればよい。
【００３５】
また、前記シリンダー９が、熱およびドリルなどを用いた破壊行為の両方のいずれにも弱い場合などには、前記検知部１９（検知手段１８）を複数設けて、前記シリンダー９に対する破壊行為に伴うと考えられる振動・熱のいずれもを検知できるようにすればよい。
【００３６】
そして、上記のように検知部１９（検知手段１８）によりシリンダー９（扉錠１）に対する破壊行為を検知した際には、その検知が信号となって伝達部２０を介して処理部としての前記警報装置の制御盤に送られ、この検知信号の伝達により、例えば、前記警報装置が適宜の音（ベル等の音）や光（回転ランプ等による光）を上記破壊行為を行った者に対して発するのである。
【００３７】
なお、前記検知部１９による検知を、例えば、前記破壊行為に対処する警備会社や、前記扉錠１を備えた扉Ｄを管理する者などへ知らせるように構成してもよいのはもちろんである。
【００３８】
また、前記警報装置による前記適宜の音や光の発生は、その発生開始から、前記警報装置を管理する者が操作するまで止まらないように構成してもよいが、前記検知部１９による熱や振動の検知が行われなくなったときには自動的に止まるように構成してもよい。
【００３９】
なお、上記実施例では、前記シリンダー９が、内筒１１および外筒１２およびカラー２３を有していたが、このような構成に限るものではなく、例えば、前記カラー２３を有しないものであってもよい。この場合には、前記検知手段１８の検知部１９を内筒１１および外筒１２を有するシリンダー９の適宜の部分に設ければよいのである。
【００４０】
また、本発明の扉錠１は、所謂回動式の扉（一端側が扉枠３に枢支された扉）用の扉錠としてだけでなく、所謂引戸用の扉錠としても使用できる。
【００４１】
また、本発明の扉錠１は、玄関などに設けられる扉Ｄなどに適用されるものに限られず、例えば、駐車場等に配置される自動精算機や、飲料・嗜好品を販売するための自動販売機など、内部に金銭や商品を収容した金庫その他の装置に適用してもよい。この場合にはもちろん、内部から前記扉を開けるように構成する必要がないため、サムターンなどの前記室内側の操作部材２２および前記室内側作動部材２２ａを省くことができる。
【００４２】
また、上記実施例では、扉錠１がいわゆる彫り込み錠タイプの構造を有しているが、このような構成に限るものではなく、例えば、扉錠１がいわゆる面付け錠タイプの構造を有していてもよい。
【００４３】
また、前記扉錠１が、図９（Ａ）および（Ｂ）に示すような構造を有していてもよい。すなわち、図９（Ａ）および（Ｂ）に示す扉錠１では、錠杆７が、デッドボルトではなく、先端部に斜面を有するラッチボルトをデッドボルトにも兼用させたものであり、詳しくは、前記錠杆７は、開扉状態ではラッチボルトの機能を有し、閉扉する時、その斜面の作用により錠ケース内に後退するのであり、完全に閉扉された状態では、前記錠杆７はさらに突出してデッドボルトの機能を果たすようにした従来公知の構成のものである。そして、前記室外側作動部材８または室内側作動部材２２ａを回動させることによって、カム６が回動すると共に、このカム６の回動により規制部材２４が作動するのである。
【００４４】
そして、前記カム６を一方に回動させた状態とすると、図９（Ａ）に示すように、前記規制部材２４が前記錠杆７を規制しない状態となり、前記錠杆７は後退可能な状態となって、このとき、図示しない操作部材（握り玉やレバーなど）を回動操作すると、前記操作部材および錠杆７の両者と連動するハンドル部材２５が回動し、これにより、前記錠杆７が扉の側方に突出した状態から錠ケース内に後退した解錠状態となるように構成されている。
【００４５】
また、前記カム６を他方に回動させた状態とすると、図９（Ｂ）に示すように、前記規制部材２４が前記錠杆７を阻止する規制状態となって、前記操作部材による操作が不可能な前記錠杆７はデッドボルトとして機能を果たすこととなる。
【００４６】
なお、図９（Ａ）および（Ｂ）に示す錠は、従来公知の電気錠に用いられる構造のものであり、前記規制部材２４はソレノイド２６に連動されるようになっており、前記ソレノイド２６への通電をオン・オフすることによっても、図９（Ａ）に示す状態と図９（Ｂ）に示す状態とへ切り換えることができるように構成されている。
【００４７】
また、上記実施例では、前記検知部１９を前記シリンダー９の内部に埋め込んだ状態で配置するように構成しているが、このような構成に限るものでなく、例えば、前記検知部１９をシリンダー９の外面に当接させた状態で配置してもよく、シリンダー９の外部近傍に配置してもよいのである。
【００４８】
【発明の効果】
以上説明したような構成からなる本発明では、錠（扉錠１）のシリンダーを破壊して行われる犯罪に対する防犯性を高めることができる錠（扉錠１）を提供することが可能となる。
【００４９】
すなわち、前記検知部１９により振動を検知するように構成した場合には、前記扉錠１のシリンダー９の内筒１１がドリルなどによって破壊行為を受けた際に、ドリルを用いた破壊行為に伴って生ずる振動を検知でき、ひいては破壊行為そのものを検知できるのであり、また、前記検知部１９により熱を検知するように構成した場合には、バーナーなどによって前記内筒１１や下ピン１３，１３…が熱せられることを検知することができる。
【００５０】
そして、扉錠１のシリンダー９に対する破壊行為を検知部１９により検知した後、例えば、警報装置による警報を行うことにより、破壊行為を行う者に対してその行為に歯止めをかけることができ、また、上記のように検知した後、警備会社や前記扉錠１を管理する者へ通報するようにした場合には、その破壊行為への対応が速やかになされることとなる。
【図面の簡単な説明】
【図１】本発明の一実施例に係るシリンダーが設けられた錠を扉に取り付けた使用例を概略的に示す正面図である。
【図２】上記実施例の構成を概略的に示す背面図である。
【図３】前記扉錠の要部の構成を概略的に示す側面図である。
【図４】前記扉錠の要部の構成を概略的に示す説明図である。
【図５】図１のＡ−Ａ線断面図である。
【図６】（Ａ）は、前記扉錠のシリンダーの構成を概略的に示す背面図、（Ｂ）は、（Ａ）のＡ−Ａ線断面図、（Ｃ）は、前記シリンダーの構成を概略的に示す正面図である。
【図７】図６（Ａ）のＢ−Ｂ線断面図である。
【図８】従来の扉錠の構成を概略的に示す背面図である。
【図９】前記扉錠の変形例の構成を概略的に示す説明図である。
【符号の説明】
１…扉錠、９…シリンダー、１０…鍵穴、１１…内筒、１２…外筒、１８…検知手段、１９…検知部、Ｋ…鍵。
【図１】
2004197522.tif 000003
【図２】
2004197522.tif 000004
【図３】
2004197522.tif 000005
【図４】
2004197522.tif 000006
【図５】
2004197522.tif 000007
【図６】
2004197522.tif 000008
【図７】
2004197522.tif 000009
【図８】
2004197522.tif 000010
【図９】
2004197522.tif 000011